(57)【特許請求の範囲】
【請求項１】
発光パネルを保持した状態で横並びに配置される複数の枠体と、前記各枠体に設けられて、発光パネルに電力を供給する給電線と、隣り合う枠体を相互に連結するとともに、それらの枠体の給電線同士を電気的に接続する連結部とを備えた照明器具であって、
前記連結部は、前記隣り合う枠体を、給電線同士の電気的接続状態を維持しながら連結方向に沿う軸回りに各々独立して回転可能に連結するものであり、
前記連結部は、隣り合う枠体の互いに対向する外側面の一方に突設された円筒体と、前記互いに対向する外側面の他方に突設され、前記円筒体に入り込んで当該円筒体と同軸に保持される円柱体とで構成され、
前記円筒体および円柱体には、各枠体の給電線に電気的に接続されて、枠体の連結状態で互いに接触する電極が各々設けられ、
前記電極のうちの少なくとも一方が円環状に形成されていることを特徴とする照明器具。
【請求項２】
前記円柱体の略中心を貫通する姿勢で枠体間に架設される芯棒をさらに備えることを特徴とする請求項１に記載の照明器具。
【発明の詳細な説明】
【技術分野】
【０００１】
本発明は、複数の発光パネルからなる照明器具に関する。
【背景技術】
【０００２】
従来から、有機ＥＬ素子、無機ＥＬ素子あるいはＬＥＤ素子等で構成される発光パネルが知られている（特許文献１）。このような発光パネルを照明器具として機能させる場合、十分な明るさを確保するために、発光パネルを横並びに複数配置して照明器具とすることが考えられる。そして、隣り合う発光パネルは、相互に電気的に接続され、電源を共有するように構成される。
【特許文献１】特開平１０−１４３０９０号公報
【発明の開示】
【発明が解決しようとする課題】
【０００３】
上記照明器具において、各発光パネルの発光面の方向を調整して、発光パネルの照明方向を個別に変更できるようにしたいという要望がある。
【０００４】
本発明は、上記のような要望に応えるためになされたものであり、各発光パネルの照明方向を個別に変更する作業を手軽に行うことができる照明器具を提供することを目的とする。
【課題を解決するための手段】
【０００５】
上記課題を解決するために、本発明は、発光パネルを保持した状態で横並びに配置される複数の枠体と、前記各枠体に設けられて、発光パネルに電力を供給する給電線と、隣り合う枠体を相互に連結するとともに、それらの枠体の給電線同士を電気的に接続する連結部とを備えた照明器具であって、前記連結部は、前記隣り合う枠体を、給電線同士の電気的接続状態を維持しながら連結方向に沿う軸回りに各々独立して回転可能に連結するものであり、前記連結部は、隣り合う枠体の互いに対向する外側面の一方に突設された円筒体と、前記互いに対向する外側面の他方に突設され、前記円筒体に入り込んで当該円筒体と同軸に保持される円柱体とで構成され、前記円筒体および円柱体には、各枠体の給電線に電気的に接続されて、枠体の連結状態で互いに接触する電極が各々設けられ、前記電極のうちの少なくとも一方が円環状に形成されていることを特徴とする照明器具を提供するものである。
【０００７】
請求項２のように、前記円柱体の略中心を貫通する姿勢で枠体間に架設される芯棒をさらに備える構成とすることが好ましい。
【発明の効果】
【０００８】
本発明によれば、連結部によって、隣り合う枠体を、給電線同士の電気的接続状態を維持したまま連結方向に沿う軸回りに各々独立して回転可能なように連結したので、枠体を個別に回転させて発光パネルの発光面の方向、すなわち発光パネルの照明方向を調整しても、給電線同士の電気的接続状態が解除されることがない。これにより、当該照明器具を設置した状態で各発光パネルの照明方向を個別に調整した後、直ちに、発光パネルを点灯させて照明器具を使用状態とすることができるので、例えば、照明方向を調整する際に、給電線同士を電気的に接続し直すような場合と異なり、各発光パネルの照明方向を個別に変更する作業を手軽に行うことができる。
【０００９】
また、上記構成の照明器具によれば、発光パネルを保持した枠体を増設する場合にも、増設する枠体を既存の枠体に連結部を介して連結するだけで、両者の発光パネルの電気的接続が完了するので、増設分の発光パネル用の光源や給電回路を新たに設ける場合と異なり、増設作業が煩雑にならないとともに、発光パネルの増設に伴って器具構成が複雑化するのを防ぐことができる。
【００１０】
さらに、連結部がロータリ接点として機能するので、枠体を一方向に何回転させても、給電線同士の電気的接続状態を良好に保ち続けることができる。また、この構成では、発光パネルの増設時に、増設する枠体の例えば円柱体を既存の枠体の円筒体に差し込むだけで両者の連結が完了するので、増設作業が煩雑になるのを防ぐことができる。
【００１１】
請求項２によれば、横並びに連結された複数の枠体を芯棒で強固に支持することができるので、照明器具が自身の重みでしなる（変位する）のを防ぐことができる。
【発明を実施するための最良の形態】
【００１２】
以下、本発明の実施形態を図面に基づいて説明する。
【００１３】
図１は、本発明の一実施形態による照明器具の全体構成を示した斜視図である。また、図２は、照明器具の横断面図であり、図３は、照明器具の連結部の縦断面図である。
【００１４】
本実施形態の照明器具１００は、例えばショーウィンドウ内に設置されて、ショーウィンドウ内の天井付近と足元付近とを同時に照明可能なように構成されているものである。このような用途の照明器具１００では、ショーウィンドウ内の展示物の入換え等に伴って、その照明方向が頻繁に変更される。
【００１５】
照明器具１００は、図１に示すように、発光パネル１を保持した３つの枠体２を横並びに配置して構成されている。なお、説明の都合上、左の枠体を２Ａ、中央の枠体を２Ｂ、右の枠体を２Ｃとし、これらの番号を適宜用いながら説明を進める。
【００１６】
隣り合う枠体２は、連結部３１，３２によって相互に連結されている。連結部３１は、枠体２Ａと枠体２Ｂとを連結し、連結部３２は、枠体２Ｂと枠体２Ｃとを連結している。これらの連結部３１，３２については、後記で詳述する。
【００１７】
本実施形態の発光パネル１は、単体あるいは複数の有機ＥＬ素子、無機ＥＬ素子、あるいはＬＥＤ素子等からなり、入力電極１１および出力電極１２を有している。各電極１１，１２は、図２では発光パネル１の上下方向の両端に配されている。
【００１８】
各枠体２は、図２に示すように、枠体２の左外側面の略中央位置に一体的に突設された円柱体２１と、枠体２の右外側面の略中央位置に一体的に突設された円筒体２２と、円柱体２１の基端に設けられる支持部２３とを有している。
【００１９】
円柱体２１は、枠体２同士の連結状態では、前記円筒体２２に入り込んで当該円筒体２２と同軸（図３参照）に保持されるようになっている。
【００２０】
また、円柱体２１には、図３に示すように、円環状の入力電極２４が設けられており、円筒体２２には、前記入力電極２４に対応する位置に棒状の出力電極２５が設けられている。出力電極２５は、円筒体２２を径方向に貫通して配されている。これらの電極２４，２５は、枠体２の連結状態で互いに接触して電気的に接続されるようになっており、本実施形態ではロータリ接点として機能している。
【００２１】
支持部２３は、図２に示すように、円柱体２１が円筒体２２に入り込んだときに、円筒体２２の先端に内嵌めされることで、円柱体２１および円筒体２２の径方向の位置決めがなされており、これによって枠体２同士が強固に連結される。なお、支持部２３による位置決めのみでは不十分な場合には、円柱体２１が円筒体２２に入り込んだときに円柱体２１の先端を保持するような凹部を枠体２の右外側面の略中央位置に設け、両者の位置決めをより確実に行うようにしてもよい。
【００２２】
また、各枠体２には、発光パネル１に電力を供給するための給電線１１１，１１２が設けられている。
【００２３】
給電線１１１は、枠体２の左上領域に内設されており、その長さ方向の一端が円柱体２１の入力電極２４に電気的に接続されるとともに、その長さ方向の他端が発光パネル１の入力電極１１に電気的に接続されている。
【００２４】
給電線１１２は、枠体２の右下領域に内設されており、その長さ方向の一端が発光パネル１の出力電極１２に電気的に接続されるとともに、その長さ方向の他端が円筒体２２の出力電極２５に電気的に接続されている。
【００２５】
本実施形態では、前記連結部３１は、上述した枠体２Ａの円筒体２２と、枠体２Ｂの円柱体２１とで構成されるとともに、前記連結部３２は、上述した枠体２Ｂの円筒体２２と、枠体２Ｃの円柱体２１とで構成されている。
【００２６】
そして、連結部３１（３２）は、枠体２Ａ（２Ｂ）の給電線１１２と枠体２Ｂ（２Ｃ）の給電線１１１とを電気的に接続するとともに、枠体２Ａ，２Ｂ（あるいは２Ｂ，２Ｃ）を、給電線１１２，１１１同士の電気的接続状態を維持しながら連結方向に沿う軸回りに各々独立して回転可能（図１の矢印ａ，ｂ，ｃ参照）に連結している。
【００２７】
なお、照明器具１００の左端４１（枠体２Ａの円柱体２１）および右端４２（枠体２Ｃの円筒体２２）は、当該照明器具１００を設置する際には取付け部として機能する。
【００２８】
また、上記照明器具１００の左右両端４１，４２は、発光パネル１を保持した枠体２を横並びに増設する際には、増設する枠体２と既存の枠体２との連結部（前記連結部３１，３２と同様の構成を有する。）として機能する。この場合、増設する枠体２の例えば円柱体２１を既存の枠体２の円筒体２２、すなわち右端４２に差し込むだけで両枠体２の連結、および、両枠体２の発光パネル１の電気的接続が完了するようになっており、増設作業が簡略になっている。
【００２９】
なお、図４に示すように、円筒体２２を貫通して先端が円柱体２１の周面に当接可能な固定ネジ７によって、枠体２を所望位置で固定するように構成されていてもよい。
【００３０】
次に、図２を参照して、照明器具１００の各発光パネル１への給電経路について説明する。
【００３１】
本実施形態では、３つの発光パネル１は、電源部５に電気的に直列に接続されている。
【００３２】
すなわち、図２に示すように、電源部５の出力部は、給電線５１、枠体２Ａの円柱体２１の入力電極２４、および、枠体２Ａの給電線１１１によって枠体２Ａの発光パネル１の入力電極１１に電気的に接続されている。
【００３３】
また、枠体２Ａの発光パネル１の出力電極１２は、枠体２Ａの給電線１１２、枠体２Ａの円筒体２２の出力電極２５、枠体２Ｂの円柱体２１の入力電極２４、および、枠体２Ｂの給電線１１１によって枠体２Ｂの発光パネル１の入力電極１１に電気的に接続されている。
【００３４】
また、枠体２Ｂの発光パネル１の出力電極１２は、枠体２Ｂの給電線１１２、枠体２Ｂの円筒体２２の出力電極２５、枠体２Ｃの円柱体２１の入力電極２４、および、枠体２Ｃの給電線１１１によって枠体２Ｃの発光パネル１の入力電極１１に電気的に接続されている。
【００３５】
さらに、枠体２Ｃの発光パネル１の出力電極１２は、枠体２Ｃの給電線１１２、枠体２Ｃの円筒体２２の出力電極２５、および、給電線５２によって電源部５の入力部に電気的に接続されている。
【００３６】
このようにして、３つの発光パネル１が電源部５に電気的に直列に接続されている。
【００３７】
そして、本実施形態では、連結部３１，３２にロータリ接点が構成されているため、３つの枠体２Ａ，２Ｂ，２Ｃをそれぞれ個別に回転させても、３つの発光パネル１への給電が遮断されることがない。
【００３８】
本実施形態では、上記のように、連結部３１，３２によって、隣り合う枠体２を、給電線１１１，１１２同士の電気的接続状態を維持したまま連結方向に沿う軸回りに各々独立して回転可能なように連結したので、枠体２を個別に回転させて発光パネル１の発光面の方向、すなわち発光パネル１の照明方向を調整しても、給電線１１１，１１２同士の電気的接続状態が解除されることがない。これにより、当該照明器具１００を設置した状態で各発光パネル１の照明方向を個別に調整した後、直ちに、発光パネル１を点灯させて照明器具１００を使用状態とすることができるので、例えば、照明方向を調整する際に、給電線１１１，１１２同士を電気的に接続し直すような場合と異なり、各発光パネル１の照明方向を個別に変更する作業を手軽に行うことができる。
【００３９】
また、上記構成の照明器具１００によれば、発光パネル１を保持した枠体を増設する場合にも、増設する枠体を既存の枠体に連結するだけで、両者の発光パネル１の電気的接続が完了するので、増設分の発光パネル１用の光源や給電回路を新たに設ける場合と異なり、増設作業が煩雑にならないとともに、発光パネル１の増設に伴って器具構成が複雑化するのを防ぐことができる。
【００４０】
また、本実施形態では、上記のように、連結部３１，３２がロータリ接点として機能するので、枠体２を一方向に何回転させても、給電線１１１，１１２同士の電気的接続状態を良好に保ち続けることができる。
【００４１】
また、発光パネル１の増設時に、増設する枠体２の例えば円柱体２１を既存の枠体２の円筒体２２に差し込むだけで両者の連結および電気的接続が完了するので、増設作業が煩雑になるのを防ぐことができる。
【００４２】
なお、照明器具１００の各発光パネル１への給電経路の他の例として、図５にしめすような、３つの発光パネル１を電源部５に電気的に並列に接続する構成を採ることも可能である。
【００４３】
これによれば、各枠体２の円柱体２１には、円環状の入力電極２６および円環状の出力電極２７が設けられており、各枠体２の円筒体２２には、当該円筒体２２を径方向に貫通する棒状の出力電極２８および棒状の入力電極２９が設けられている。
【００４４】
そして、上記入力電極２６および出力電極２８、あるいは、出力電極２７および入力電極２９は、枠体２の連結状態で互いに接触して電気的に接続され、ロータリ接点として機能している。
【００４５】
また、各枠体２は、上記実施形態の給電線１１１，１１２とは異なる態様で配される給電線１２１、１２２を備えている。
【００４６】
給電線１２１は、枠体２の上半分領域に内設されており、その長さ方向の一端が円柱体２１の入力電極２６に電気的に接続されるとともに、その長さ方向の他端が円筒体２２の出力電極２８に電気的に接続され、さらに、その長さ方向の略中央部分が発光パネル１の入力電極１１に電気的に接続されている。
【００４７】
給電線１２２は、枠体２の下半分領域に内設されており、その長さ方向の一端が円柱体２１の出力電極２７に電気的に接続されるとともに、その長さ方向の他端が円筒体２２の入力電極２９に電気的に接続され、さらに、その長さ方向の略中央部分が発光パネル１の出力電極１２に電気的に接続されている。
【００４８】
そして、枠体２Ａの発光パネル１の入力電極１１は、給電線５３、枠体２Ａの円柱体２１の入力電極２６、および、枠体２Ａの給電線１２１によって電源部５の出力部に電気的に接続されている。
【００４９】
また、枠体２Ａの発光パネル１の出力電極１２は、枠体２Ａの給電線１２２、枠体２Ａの円柱体２１の出力電極２７、および、給電線５４によって電源部５の入力部に電気的に接続されている。
【００５０】
枠体２Ｂの発光パネル１の入力電極１１は、給電線５３、枠体２Ａの円柱体２１の入力電極２６、枠体２Ａの給電線１２１、枠体２Ａの円筒体２２の出力電極２８、枠体２Ｂの円柱体２１の入力電極２６、および、枠体２Ｂの給電線１２１によって電源部５の出力部に電気的に接続されている。
【００５１】
また、枠体２Ｂの発光パネル１の出力電極１２は、枠体２Ｂの給電線１２２、枠体２Ｂの円柱体２１の出力電極２７、枠体２Ａの円筒体２２の入力電極２９、枠体２Ａの給電線１２２、枠体２Ａの円柱体２１の出力電極２７、および、給電線５４によって電源部５の入力部に電気的に接続されている。
【００５２】
枠体２Ｃの発光パネル１の入力電極１１は、給電線５３、枠体２Ａの円柱体２１の入力電極２６、枠体２Ａの給電線１２１、枠体２Ａの円筒体２２の出力電極２８、枠体２Ｂの円柱体２１の入力電極２６、枠体２Ｂの給電線１２１、枠体２Ｂの円筒体２２の出力電極２８、枠体２Ｃの円柱体２１の入力電極２６、および、枠体２Ｃの給電線１２１によって電源部５の出力部に電気的に接続されている。
【００５３】
また、枠体２Ｃの発光パネル１の出力電極１２は、枠体２Ｃの給電線１２２、枠体２Ｃの円柱体２１の出力電極２７、枠体２Ｂの円筒体２２の入力電極２９、枠体２Ｂの給電線１２２、枠体２Ｂの円柱体２１の出力電極２７、枠体２Ａの円筒体２２の入力電極２９、枠体２Ａの給電線１２２、枠体２Ａの円柱体２１の出力電極２７、および、給電線５４によって電源部５の入力部に電気的に接続されている。
【００５４】
なお、枠体２Ｃの円筒体２２の出力電極２８と入力電極２９とは、短絡用電線１２３により電気的に接続されて短絡されている。
【００５５】
以上のようにして、３つの発光パネル１が電源部５に電気的に並列に接続される。
【００５６】
そして、この構成においても、連結部３１，３２にロータリ接点が構成されているため、３つの枠体２Ａ，２Ｂ，２Ｃをそれぞれ個別に回転させても、３つの発光パネル１への給電が遮断されることがない。
【００５７】
また、図６に示すように、連結部３１，３２の軸中心を貫通して、３つの枠体２に連結方向に沿って架設される芯棒６を設けてもよい。このようにすれば、横並びに連結された複数の枠体２を芯棒６で強固に支持することができるので、照明器具１００が自身の重みでしなる（変位する）のを防ぐことができる。
【００５８】
また、上記実施形態では、隣り合う枠体２の一方の円柱体２１と、他方の円筒体２２とからなる連結部３１，３２によって、枠体２同士を連結する構成について示したが、これに限らず、枠体２とは別体の連結部材によって枠体２同士が連結されるように構成されていてもよい。この場合、連結部材は、隣り合う枠体２の各々と、物理的に連結可能でかつロータリ接点によって電気的に接続可能に構成されている。
【図面の簡単な説明】
【００５９】
【図１】本発明の一実施形態による照明器具の全体構成を示した斜視図である。
【図２】図１に示した照明器具の給電経路を説明するための横断面図である。
【図３】図１に示した照明器具の連結部の縦断面図である。
【図４】枠体同士を位置決め固定するための構成を示した横断面図である。
【図５】図１に示した照明器具の他の給電経路を説明するための横断面図である。
【図６】変形例による照明器具の給電経路を説明するための横断面図である。
【符号の説明】
【００６０】
１  発光パネル
２  枠体
６  芯棒
２１  円柱体（連結部）
２２  円筒体（連結部）
２４  入力電極
２５  出力電極
２６  入力電極
２７  出力電極
２８  出力電極
２９  入力電極
３１、３２  連結部
１００  照明器具
１１１、１１２、１２１、１２２  給電線
【図１】
0004934574.tif 000002
【図２】
0004934574.tif 000003
【図３】
0004934574.tif 000004
【図４】
0004934574.tif 000005
【図５】
0004934574.tif 000006
【図６】
0004934574.tif 000007